(57)【要約】      （修正有）【課題】真直ぐなブックブロックの背のために運転される、プリズムプレートの互いの間隔が最小化できる、本成形プレス機を提供する。【解決手段】再成形装置と、プレス装置３０と、装填装置６０と装填テーブル６２から成り、プレス装置３０が、互いに間隔調整可能な複数のプレスプレート３１，３２と焼付けレール３５，３６とから成り、装填テーブル６２が、ブックブロックの背に対して支持機能を満たし、その成形部と作用結合している支持手段を備え、支持手段が、互いに間隔を置いた平行に延在する少なくとも一対のプリズムプレート６６，６７から成り、プリズムプレート６６、６７が、それぞれ少なくとも１つの、作用結合された位置切換え可能な調整要素７１を備え、この調整要素７１が、ブックブロックの背の別の成形のためにプリズムプレート６６，６７に従った機能を担うように形成されている本成形プレス機。【選択図】図３
2013216100.tif 000002
【特許請求の範囲】
【請求項１】
本質的に、再成形装置（１）と、プレス装置（３０）と、装填装置（６０）とから成り、装填装置が、本質的に装填テーブル（６２）から成り、プレス装置が、互いに間隔調整可能な複数のプレスプレート（３１，３２）と焼付けレール（３５，３６）とから成り、装填テーブルが、ブックブロックの背に対して支持機能を満たし、その成形部と作用結合している支持手段を備える、本成形プレス機において、
支持手段が、互いに間隔を置いた平行に延在する少なくとも一対のプリズムプレート（６６，６７）から成り、プリズムプレートが、それぞれ少なくとも１つの、作用結合された位置切換え可能な調整要素（７１）を備え、この調整要素が、位置切換えされて、ブックブロックの背の別の成形のためにプリズムプレートに従った機能を担うように形成されていること、を特徴とする本成形プレス機。
【請求項２】
調整要素（７１）の位置切換えが、プリズムプレート（６６，６７）に対する高さ方向の変位によって達成可能であること、を特徴とする請求項１に記載の本成形プレス機。
【請求項３】
調整要素（７１）が、プリズムプレート（６６，６７）の内側で高さ方向に変位可能であること、を特徴とする請求項１に記載の本成形プレス機。
【請求項４】
調整要素（７１）の高さ方向の変位が、垂直な運動を実施し、それぞれプリズムプレート（６６，６７）の外側で並進運動を調整要素（７１）に伝達する伝達手段によって可能であること、を特徴とする請求項１〜３のいずれか１項に記載の本成形プレス機。
【請求項５】
調整要素（７１）の並進運動のための伝達手段が、機械式、空気圧式、油圧式、電動式に保持されていること、を特徴とする請求項４に記載の本成形プレス機。
【請求項６】
調整要素（７１）の高さ方向の変位が、少なくともプリズムプレート（６６，６７）の上縁まで行なわれること、を特徴とする請求項１〜５のいずれか１項に記載の本成形プレス機。
【請求項７】
プリズムプレート（６６，６７）が、幅の狭い細長いプレートから成ること、を特徴とする請求項１〜６のいずれか１項に記載の本成形プレス機。
【請求項８】
プリズムプレート（６６，６７）の隙間を構成する互いの間隔設定が、ゼロに向かって変更可能であること、を特徴とする請求項１〜７のいずれか１項に記載の本成形プレス機。
【請求項９】
プリズムプレート（６６，６７）の長さに沿って、複数の調整要素（７１）が配設されていること、を特徴とする請求項１〜８のいずれか１項に記載の本成形プレス機。
【請求項１０】
プリズムプレート（６６，６７）が、配設された調整要素（７１）に付属して、相応の数のガイド通路（６８）を備えること、を特徴とする請求項１〜９のいずれか１項に記載の本成形プレス機。
【請求項１１】
向かい合うプリズムプレート（６６，６７）の変位可能な要素（７１）が、互いに位置をずらして配設されていること、を特徴とする請求項１〜１０のいずれか１項に記載の本成形プレス機。
【請求項１２】
プリズムプレート（６６，６７）の少なくとも一方が、複数の切欠き（６９）を備え、これら切欠きが、他方のプリズムプレート（６６，６７）の調整要素（７１）に向かい合うように取り付けられており、調整要素（７１）の自由な運動能力を保証すること、を特徴とする請求項１１に記載の本成形プレス機。
【請求項１３】
プリズムプレート（６６，６７）と調整要素（７１）が、上の載置面（７９，８０）を備え、この載置面が、ブックブロックの背のそれぞれの形状と噛合い式の作用結合をしていること、を特徴とする請求項１〜１２のいずれか１項に記載の本成形プレス機。
【請求項１４】
丸いブックブロックの背（３７）用のプリズムプレート（６６，６７）の上の載置面（８０）が、内側に向かって延在する面取り部（８０）を備えること、を特徴とする請求項１３に記載の本成形プレス機。
【請求項１５】
平らなブックブロックの背（３８）用の調整要素（７１）の上の載置面（７９）が、平らな表面（７９）を備えること、を特徴とする請求項１３に記載の本成形プレス機。
【請求項１６】
調整要素（７１）が、運動方向にストロークリミッタとして機能する安全要素（７２）と連結されていること、を特徴とする請求項１〜１５のいずれか１項に記載の本成形プレス機。
【請求項１７】
調整要素（７１）の変位能力が、液圧式のリフティングシリンダ（７４）によって可能であること、を特徴とする請求項１〜１６のいずれか１項に記載の本成形プレス機。
【請求項１８】
プリズムプレート（６６，６７）の少なくとも一方が、液状媒体のための通路（７７）を備えること、を特徴とする請求項１〜１７のいずれか１項に記載の本成形プレス機。
【請求項１９】
請求項１〜１８のいずれか１項に記載の本成形プレス機を有する本製造ライン。
【発明の詳細な説明】
【技術分野】
【０００１】
本発明は、請求項１の上位概念の特徴による本成形プレス機に関する。
【背景技術】
【０００２】
公知の本製造ラインは、周期的に相前後してそれぞれ１つのブックブロックとブックカバーを１つの本にまとめる。最後の製造ステップの１つのために、例えば独国特許出願公開第４４２２７８３号明細書（特許文献１）から公知のように本成形プレス機が使用される。
【０００３】
即ち、この文献から、それぞれ溝焼付け装置を有する一列のプレス装置を備え、垂直な回転軸を中心として断続的に駆動されるロータに配設された本成形プレス機が公知となっている。
【０００４】
本自身は、導入ステーションで、本を全面的に収容し、焼付けプレートを介して中断なく成形するプレス装置に導入され、本が実施ステーションにおいて再び導出されるまで、同じプレスジョー内に持続的に留まっている。
【０００５】
カバーにくるまれたブックブロックの供給と成形及びプレスをされた本の排出の間、ロータは、プレスもしくは焼付け時間として利用される断続的な若干の回転運動を行なう。
【０００６】
装填ステーションで、本は、２つの本の流れに分割され、次いで装填ラックと相手ラックによって横から支持しつつ、プリズムプレートを備える装填テーブルから下から、開口した停止しているプレス装置に搬送するために、ガイドウェブが付設された装填ラックを介して直立される。このため、プリズムプレートでは、丸い又は真直ぐな本の背のために別々のインサートが使用される。
【０００７】
即ち、本のサイズ交換時、プリズムプレートの交換のために機械停止と装備時間が生じるが、それは、安全の理由から、機械全体が、通常最初に除去しなければならないカバーリングを備えているからである。
【０００８】
真直ぐなブックブロックの背から丸いブックブロックの背への交換時、又は、良好な丸みを得ることのできる寸法的に変更をした成形部材への交換時、これは、機械の空運転、保護カバーリングの開放及び機械の新たなスタートを行なう必要があることを意味する。
【０００９】
真直ぐな本では、薄いサイズのために寸法的に調和させて異なった幅の載置レールが個々のプレートとして使用される。その場合、これらプレートは、フレーム固定でネジ留めされている。幅の広いサイズのためには、２つの真直ぐなプレートが交換され、これは、取付け状態で幅の狭い長手方向面が上を向く互いに平行に配設された２つのプレートである。
【００１０】
従来技術によれば、プレートの少なくとも一方が、フレーム固定で取り付けられ、その場合、第２のプレートは、異なった調整手段によって所定の間隔で、第１のプレートに対して平行に移動される。外に向いた両面の間の寸法は、本の厚さに相当する。本は、その背によって幅の狭い長手方向面状に載置されている。従って、このような構成の場合、厚い本は、それぞれブックブロックの背の外側の領域でのみプレートに載置されている。
【先行技術文献】
【特許文献】
【００１１】
【特許文献１】独国特許出願公開第４４２２７８３号明細書
【発明の概要】
【発明が解決しようとする課題】
【００１２】
ここで、本発明は、対策を提供する。請求項に記載された本発明の根底にある課題は、丸い本用のプリズムプレートとも称するプリズム状のプレートを含み、外部から切換え可能な要素によって真直ぐな本の背を有する本を有効に把持することができ、この場合、異なった両プリズム状のプレートが、通常は選択的に外部から運転される、即ち、一方のプレートが丸いブックブロックの背のために運転され、他方にプレートが、真直ぐなブックブロックの背のために運転される、装置を提案することにある。
【課題を解決するための手段】
【００１３】
しかしながら、この切換えの可能性は、容易に、両プリズムプレートを同時にそれぞれの所定の本の背の形状のために使用することを可能にする。
【００１４】
このため、例えば、丸い本用のプリズムプレートは、即ち、外部から作動される、システムの使用に従った選択性が可能になるように、真直ぐな本の背のために設定された他方の要素の垂直な移動を可能にするガイド手段を備える。
【００１５】
即ち、本発明の課題は、下部構造に適するように少なくとも１つのプレス装置を備え、この場合、このプレス装置が、プレスプレートと焼付けレールを備える、本成形プレス機を提案することにもある。更に、少なくとも１つの装填装置が設けられており、この装填装置が、装填テーブルを備え、この装填テーブル上に、ブックブロックは、ブックブロックが背を基本的に装填テーブルに向けられ、これにより、本成形プレス機が自然なプロセスフローにより作動するように、配設されている。
【００１６】
装填テーブルは、ブックブロックの背に沿って通常は水平に互いに間隔を置いた２つのプリズムプレートを備え、これらプリズムプレートの垂直な端部表面が、ブックブロックを支持するために設定されている。これらプリズムプレートは、その内部に取り付けられた選択的な調整要素の高さ方向の変位を可能にする手段を備え、更に、プリズムプレートの互いの間隔設定を可能にする別の手段が設けられている。
【００１７】
従って、本発明の本質的な利点は、外部から導入される位置切換えによってブックブロックの背に一致したプリズムプレートあるいは調整要素と、プリズムプレートの互いの間隔設定の１次変更によって得られる、同様に外部から運転可能な、ブックブロックのそれぞれの厚さへのその適合が、異なるように構成された本の製造時に最大の柔軟性を保証することに見られる。
【００１８】
この場合、本発明によるプリズムプレートのシステムは、これらプリズムプレートを、互いの間隔設定を変更するために、水平な方向に変位できることを提供し、更に、これらプリズムプレートは、ブックブロックの背の所定の形状から他の形状への転換を、このために必要なプリズムプレートの基本的な全体的な交換を行なわずに行い得るように、構成されている。更に、このシステムは、互いに間隔を置いたプリズムプレートを必要に応じて同様に変更することも可能にする。
【００１９】
従って、本発明によれば、プリズムプレートは、調整要素が、少なくとも垂直な方向に、独立した並進運動を実施でき、プリズムプレートに統合したこれら調整要素が、それぞれ、加工すべき本の背の形状の交換が生じた時に起動されるように、少なくとも一対のプリズムプレートが独立して運転可能な調整要素と作用結合しているように構想されている。
【００２０】
従って、要約すれば、本発明により、その水平な端部表面が、ブックブロックの加工すべき背とは反対を向くように相応に形成された互いに間隔を置いた第１の対のプリズムプレートが設けられる。ブックブロックの背の形状が丸い場合、これらプリズムプレートは、通常は幅が狭くリップ状にまで形成され、その本側の自由端は、通常は、整形すべき本の背と作用結合している、即ち、通常は、整形すべき本に対する支持機能を担う。
【００２１】
これらプリズムプレートの互いの間隔は、必要に応じて、即ち加工すべき本の厚さに応じて、変更することができ、これにより、その作用箇所は、ブックブロックの背の加工時に常に最適に調整することができる。
【００２２】
最後に、基礎的な各プリズムプレートは、それぞれ少なくとも１つの高さ方向に変位可能な調整要素を支持し、この調整要素は、これに割り当てられたブックブロックの背の形状が加工のためにふさわしい場合に使用され、その場合、基礎的なプリズムプレートは、調整要素に対する支持機能しか満たさないが、それは、ブックブロックに対する作用面が、垂直方向に位置切換えされた調整要素によって作用を加えられるからである。
【００２３】
本成形プレス機の有利な実施形態によれば、調整要素の位置切換えのために使用される変位要素が、基礎的なプリズムプレートの外側に配設されており、これにより、プリズムプレートの互いの間隔が最小化できる。
【００２４】
更に、複数の調整要素が、プリズムプレートの長さに沿って配設でき、これにより、同時に複数の調整要素が、作用面内に移動でき、これが、ブックブロックの載置面にもプラスに作用する。
【００２５】
本発明の本質的な利点は、プリズムプレート内に挿入された各調整要素が、プリズムプレートの後側に作用するアンビル状の要素を備え、この要素を介して、アンビル状の要素が、切換え可能な動力要素によって強制的に一方向、ここでは上に向かって移動される。動力要素は、特に空気圧式又は油圧式に作動され、サーボモータも使用できる。機械的な調整を行なうことも、容易に可能である。
【００２６】
動力要素のリターンストロークが導入されると、力学は、調整要素がその自重によってふたたび初期位置に降下し、容易に、二重に作用する力の発揮を行なうことができる。動力要素は、１つのサポート内に取り付けられ、このサポートが、動力要素とそれぞれのプリズムプレート間の機械的な結合を担い、動力要素へのそれぞれの作動媒体の供給を保証する。
【００２７】
プリズムプレートには、特に複数の細い通路が通されており、これら通路は、システムにそれぞれ取付けられた動力要素を、液体を供給するためのそれぞれ１つの分岐ラインを介して互いに接続し、セントラル式の動力供給部への接続部を形成する１つのラインも備えている。
【００２８】
プリズムプレートが、セントラル式の供給部を介して１つの制御要素によって力を発揮させるための作動媒体を供給されると、取り付けられた全ての動力要素が、作用結合している調整要素を上昇させる。その場合、上昇させた調整要素の平滑な終端面は、まっすぐな面を構成し、この真直ぐな面が、プリズムプレートの斜面を一時的あるいは断続的に機能外にされる。調整要素の実際の包囲部の下の個々のプリズムプレートは、まっすぐなブックブロックのためにも使用できる。
【００２９】
作動媒体が再び除去されると、動力要素は、その初期位置に戻り、調整要素は、特にその自重によって初期位置に降下する。その場合、プリズムプレートの斜面は、再び本が丸い背を受け得るように、その旧来の機能を担う。
【００３０】
以下で、図により本発明の実施例を詳細に説明する。本発明の直接的な理解のために必要でない全ての要素省略している。同じ要素は、各図で同じ符号を備えている。
【図面の簡単な説明】
【００３１】
【図１】本成形プレス機が、尖端位置にある変位可能な要素を備える、丸い背を有する本が挿入された実施例による本成形プレス機の斜視図
【図２】再成形装置を有しない図１による本成形プレス機の側面図
【図３】本成形プレス機が、フラット位置にある変位可能な要素を備える、図２による側面図に対応する、平らな背を有する本が挿入された図１による本成形プレス機の別の側面図
【図４】本を有しない別個の表現の図１〜３の実施例による本成形プレス機のプリズムプレートの斜視図
【図５】尖端位置にある変位可能な要素を有する図４によるプリズムプレートの一方の断面図
【図６】フラット位置にある変位可能な要素を有する図４によるプリズムプレートの、図５に対応する断面図
【発明を実施するための形態】
【００３２】
図１〜３による本成形プレス機は、ブックブロック３７，３８を装填テーブル６２上のプレスプレート３１，３２間に収容するために設定されている。
【００３３】
図１から、プレスプレート３１，３２間に締め付けられた、丸い背３９を有するブックブロック３７が認められる。通常、本成形プレス機は、図１〜３からわかるように、ブックブロック３７，３８を垂直に整向するために設けられている。しかしながら、ここに示した本成形プレス機の垂直な整向は、強制的でないと理解すべきである。
【００３４】
図１には、上から下に向かって、再成形装置１、プレス装置３０及び装填装置６０が示されている。装填装置６０は、図２によれば、互いに平行なプリズムプレート６６，６７を備え、これらプリズムプレートは、互いに間隔を置いている。
【００３５】
ブックブロックの上に、本成形プレス機の取付け状況と機能を明確にするための図１では、成形プレート６，７，８を有する垂直に変位可能で回転可能な工具サポート５を有する再成形装置１が図示されている。再成形装置１あるいは工具サポート５の基幹構造は、本質的に、しかしながら最終的に、ガイドロッド２、ガイドキャリッジ３及びサポートアーム４から成り、その機能は、技術的な意味で明らかに図１からわかる。
【００３６】
プリズムプレート６６，６７は、その上端８０（図２）が、本の背３９に向けられており、外側から内側に向かって延在する傾斜を備え、この傾斜は、加えて、内側に向かって傾斜している。
【００３７】
両プリズムプレートの厚さを加えた両プリズムプレート６６，６７間の間隔の程度は、本の厚さに相当し、これは、同時に、厚手の本が、ブックブロックの背の外側の領域でのみプリズムプレートに当接するとのことを意味する。
【００３８】
ケースバイケースで、両プリズムプレートの互いの調整された間隔に関して、公差が設けられており、この公差は、プリズムプレートを本の製造の経過においてプレスプレート３１，３２と衝突させないために役立つ。
【００３９】
一方のプレスプレートが位置不動に設けられている場合、このプレスプレートは、位置不動の第１のプリズムプレートのための位置も構成する。図１〜３には、プレスプレート３１が位置不動のものとして設定されていることが示されている。次に、これから平行に間隔を置いた第２のプレスプレート３２は移動可能であり、従って、それぞれの本に調整可能に保持されている。
【００４０】
このため、内側のプレスプレート３２は、背の長手方向軸に対して横に、特に水平（図１の２重矢印Ｘ）に移動することができる。プレス装置３０の下の領域に、ブックブロックの背３９に向けられて、ブックブロック３７（図１，２）及び３８（図３）の両側に加熱バー３３，３４が配設され、これら加熱バーは、ブックブロックに作用する加熱レール３５，３６を作動させる。
【００４１】
従って、プリズムプレート６６，６７は、それぞれのブックブロック３７，３８を、焼付けレール３５，３６の下で少なくとも線状に支持する。この支持は、丸いブックブロックの背３９の場合、通常、正確には線状に行なわれるのではなく、このような支持は、比較的小さい面軌道を介して行なわれるが、それは、ブックブロックの背を構成する材料が、ある程度の柔軟性を備えるからである。真直ぐなブックブロックの背の場合（図３）は、むしろ、このために使用されるプリズムプレートの面に従った支持を当てにできない。
【００４２】
ベースプレートの機能を満たすプリズムプレート６６，６７は、それぞれ、外側に位置するように配設された垂直方向に変位可能な調整要素７１（特に図５及び６）を備え、これら調整要素の始動は、ベースプレートの高さに従った重なりを生じさせる。
【００４３】
簡単に図４に立ち入れば、これら調整要素７１は、それぞれのプリズムプレート６６，６７の長さ全体にわたって規則的な並びで設けられているが、不規則な配分も可能である。従って、これら調整要素７１は、プリズムプレート６６，６７の長さに沿って点状に有効であり、このために設けられたスリットとして形成されたガイド通路６８内を垂直方向に駆動され、プリズムプレートの内部に突出するサポートを備え、このサポートが、それぞれのブックブロックの背を支持するために使用される。図４に関する十分な説明は、他の補足的な図５及び６の説明と関係する。
【００４４】
本の厚さを検出するために水平方向にプレスプレートを変位させる（図１の２重矢印Ｘ）ことと同様に、ここでは、不動のプリズムプレート６６に対する一方のプリズムプレート６７の変位Ｘ１も行なわれが、両プリズムプレートを別々に変位可能に保持することも可能である。
【００４５】
他方のプリズムプレート６６に対して必要な間隔を得るための一方のプリズムプレート６７のこの変位は、プリズムプレート６６，６７も支持する装填テーブル６２を介して行なわれるが、この装填テーブルは、装填装置６０（図１）の構成要素であり、この装填装置は、メカニズムを介してガイドロッド６１に沿ってブックブロックの背に向かうプリズムプレートの垂直方向の調整Ｙを担い、キャリッジシステム６３，６４，６５を介して、本の厚さに応じたプリズムプレートの水平方向の調整Ｘ１を担う。
【００４６】
図１，２，３，４及び５で、調整要素７１は、共に引き込まれている、即ち、調整要素は、使用中でない。
【００４７】
プリズムプレート６６，６７の詳細は、図４〜６からわかる。
【００４８】
プリズムプレート６６，６７は、その上端８０（図５、図６の破線）に、上に向かって開放した、スリットとして形成されたガイド通路６８を備え、これらガイド通路内で、変位可能な調整要素７１は運動可能であり、即ち、切換えによって、調整要素は、ベースプレートとして使用されるプリズムプレート６６，６７に対する垂直な運動を実行する。
【００４９】
従って、ガイド通路６８は、それぞれのプリズムプレート６６をこのようなスリットの長さの範囲内で完全に貫通するスリットもしくは溝８１として形成されている。内側で、変位可能な調整要素７１は、プリズムプレート６６を超えている、即ち、調整要素は、内部に突出する。相応の箇所に、向かい合うプリズムプレート６７は、同様に、それぞれの変位可能な調整要素７１のための切欠き６９を備えている。このプリズムプレート６７についても、これら切欠き６９は、向かい合うプリズムプレート６６の場合と同じように整向及び形成されている。
【００５０】
各ガイド通路６８の下に、それぞれ１つの垂直に整向されたガイド通路８２が配設され、このガイド通路は、クランプディスク７２と作用結合し、このクランプディスクは、変位可能な調整要素７１のための安全要素として使用され、同時に、調整要素が垂直にそれぞれのプリズムプレート６６，６７の内面に沿って移動可能であることを保証する。
【００５１】
従って、クランプディスク７２は、機械的に変位可能な調整要素７１に連結されているので、ガイド通路８２とのクランプディスクの協働は、変位可能な要素７１の垂直な運動能力を制限する。
【００５２】
プリズムプレート６６，６７の互いの間隔が最小化された時のクランプディスク７２の垂直な運動を阻止する又は不可能にするため、対向するプリズムプレートは、向かい合う場所に切欠き７０を備え、これら切欠きは、プリズムプレートの間隔がゼロになった場合でも調整要素の機能性を保証するために十分な大きさである。
【００５３】
更に、挿入された調整要素７１は、外側に向かって作用するアンビル７３を備え、このアンビルを介して、切換え可能な制御要素−ここでリフティングシリンダ７４として構成されている−によって、調整要素が、図６の最終状態からわかるように、強制的に一方向−ここでは上に向かって−に移動される。リフティングシリンダは、空気圧又は油圧により、簡潔には作動媒体の作用により、運転される。このリフティングシリンダ７４のリターンストロークが導入されると、この調整要素７１は、その自重によって再び初期位置に戻る。二重作用式のリフティングシリンダの場合は、戻し運動が行なわれる。リフティングシリンダ７４は、支持ブロック７５内に取り付けられ、この支持ブロックは、リフティングシリンダ７４とそれぞれのプリズムプレート６６，６７間の機械的な結合と、付属する作動媒体のリフティングシリンダ７４への供給との両方を保証する。
【００５４】
プリズムプレート６６，６７には、細い空気通路７７が通され、これら空気通路は、それぞれシステム内に取り付けられたリフティングシリンダを、それぞれ１つの分岐通路７６を介して互いに接続し、加えて、空気圧又は油圧のセントラル式の供給部７８と接続された別のラインを備える。
【００５５】
プリズムプレート６６，６７が、セントラル式の供給部７８を介して制御要素−ここでは電気的に切換え可能な弁−によって作動媒体を供給されると、取り付けられた全てのリフティングシリンダ７４が、作用結合しているその調整要素７１を高い位置に切り換える。これら調整要素７１の平滑な終端面は、平らな本のブックブロックの背（図６）に対する平坦な載置面７９を構成し、これら調整要素７１は、図４〜６によれば、丸い本のためのプリズムプレート６６，６７の斜面８０を一時的にあるいは断続的に非機能状態にする個々の面から成る。調整要素７１を付加した個々のプリズムプレート６６，６７は、真直ぐなブックブロックの背のために使用することができる。
【００５６】
作動媒体が再び除去されると、リフティングシリンダは、引き込まれ、要素は、特に、その自重によって初期位置に戻る。プリズムプレート６６，６７の斜面は、不再び機能状態にされ、従って、丸い背を有する本を収容することができる。
【符号の説明】
【００５７】
１                  再成形装置
２                  ガイドロッド
３                  ガイドキャリッジ
４                  サポートアーム
５                  工具サポート
６，７，８          成形プレート
３０                プレス装置
３１，３２          プレスプレート
３３，３４          加熱バー
３５，３６          加熱レール
３７，３８          ブックブロック（焼付けレール）
３９                ブックブロックの背
６０                装填装置
６１                ガイドロッド
６２                装填テーブル
６３，６４，６５    キャリッジシステム
６６，６７          プリズムプレート
６８                ガイド通路
６９                切欠き
７０                切欠き
７１                調整要素
７２                クランプディスク
７３                アンビル
７４                リフティングシリンダ
７５                支持ブロック
７６                分岐通路
７７                空気通路
７８                供給部
７９                載置面
８０                上端
８１                スリットもしくは溝
８２                ガイド通路
【図１】
2013216100.tif 000003
【図２】
2013216100.tif 000004
【図３】
2013216100.tif 000005
【図４】
2013216100.tif 000006
【図５】
2013216100.tif 000007
【図６】
2013216100.tif 000008